(57)【要約】【課題】画像が記録されて排紙された複数枚の用紙の中から所定の画像が記録された用紙について、目印をつけることなく残りの用紙と容易に区別することができる画像処理装置を提供する。【解決手段】画像処理装置１は、Ａ４用紙が縦置きにセットされる第１の給紙部１５と、Ａ４用紙が横置きにセットされる第２の給紙部１７と、一枚の用紙に記録される画像の縮小画像６９を表示する機能を有しており、この表示されている縮小画像６９に対応する画像の記録において、第１の給紙部１５及び第２の給紙部１７にセットされた用紙のいずれを使用するかユーザに設定させる設定部６１と、を備え、複数の縮小画像６９のそれぞれに対応する画像について設定がされた後、これらの画像を設定された用紙に記録して排紙する。【選択図】図３
2008288656.tif 000002
【特許請求の範囲】
【請求項１】
用紙が縦置きにセットされる第１の給紙部と、
前記第１の給紙部にセットされる用紙と同じサイズの用紙が横置きにセットされる第２の給紙部と、
一枚の用紙に記録される画像の縮小画像を表示する機能を有しており、この表示されている縮小画像に対応する画像の記録において、前記第１の給紙部及び前記第２の給紙部にセットされた用紙のいずれを使用するかユーザに設定させる設定部と、
複数の縮小画像のそれぞれに対応する画像について前記設定部での設定がされた後、前記複数の縮小画像のそれぞれに対応する画像を、前記設定部で設定された用紙に記録する画像記録部と、
前記設定部で設定された用紙の縦横の向きと画像の縦横の向きが一致しなければ、その画像を９０°回転させて前記画像記録部で記録させる回転処理部と、
前記画像記録部で画像が記録された用紙が排紙される排紙部と、
を備えることを特徴とする画像処理装置。
【請求項２】
前記設定部において、デフォルトでは前記第１の給紙部又は前記第２の給紙部にセットされた用紙を使用する設定がされている
ことを特徴とする請求項１に記載の画像処理装置。
【請求項３】
前記画像記録部では、前記第１の給紙部及び前記第２の給紙部の一方にセットされた用紙を使用する設定がされた画像を先に記録し、他方にセットされた用紙を使用する設定がされた画像を後に記録する
ことを特徴とする請求項１又は２に記載の画像処理装置。
【請求項４】
前記設定部では、縮小画像が縦向きに表示されている場合、前記第１の給紙部にセットされた用紙の使用が設定され、横向きに表示されている場合、前記第２の給紙部にセットされた用紙の使用が設定される
ことを特徴とする請求項１〜３のいずれか一項に記載の画像処理装置。
【発明の詳細な説明】
【技術分野】
【０００１】
本発明は、画像を用紙に記録する機能を有する画像処理装置に関する。
【背景技術】
【０００２】
コピー機やこの機能を有する複合機には、電子ソート機能を備えるものがある。電子ソートとは、複数枚からなる原稿を複数部コピーする際に、一部毎に仕分けて一つの排紙トレイに排紙することであり、これによればユーザはコピーされた用紙を並び替える手間を省くことができる。
【０００３】
電子ソートの応用として、縦置きにセットされた用紙を給紙するコピーと、横置きにセットされた同じサイズの用紙を給紙するコピーを組み合わせることにより、コピーされた用紙を部毎に縦横の向きを変えて排紙する機能（クロスソート）を備える画像形成装置が提案されている（例えば特許文献１参照）。クロスソートを利用すれば、例えば原稿を４部コピーすると、コピーされた用紙が、１部目は縦向き、２部目は横向き、３部目は縦向き、４部目は横向きに排紙される。このため、一つの排紙トレイに排紙しても、各部を容易に区別することができる。
【特許文献１】特開平１０−１７３９１０号公報
【発明の開示】
【発明が解決しようとする課題】
【０００４】
本発明の目的は、画像が記録されて排紙された複数枚の用紙の中から所定の画像が記録された用紙について、目印をつけることなく残りの用紙と容易に区別することができる画像処理装置を提供することである。
【課題を解決するための手段】
【０００５】
本発明に係る画像処理装置は、用紙が縦置きにセットされる第１の給紙部と、前記第１の給紙部にセットされる用紙と同じサイズの用紙が横置きにセットされる第２の給紙部と、一枚の用紙に記録される画像の縮小画像を表示する機能を有しており、この表示されている縮小画像に対応する画像の記録において、前記第１の給紙部及び前記第２の給紙部にセットされた用紙のいずれを使用するかユーザに設定させる設定部と、複数の縮小画像のそれぞれに対応する画像について前記設定部での設定がされた後、前記複数の縮小画像のそれぞれに対応する画像を、前記設定部で設定された用紙に記録する画像記録部と、前記設定部で設定された用紙の縦横の向きと画像の縦横の向きが一致しなければ、その画像を９０°回転させて前記画像記録部で記録させる回転処理部と、前記画像記録部で画像が記録された用紙が排紙される排紙部と、を備える。
【０００６】
本発明に係る画像処理装置の前記設定部において、デフォルトでは前記第１の給紙部又は前記第２の給紙部にセットされた用紙を使用する設定がされている、ようにすることができる。
【０００７】
これによれば、デフォルトで設定されていない用紙を使用するときにだけ（例えば、デフォルトで第１の給紙部にセットされた用紙を使用する設定がされていると、第２の給紙部にセットされた用紙を使用するときにだけ）、ユーザが設定操作をすればよいので、設定操作を簡略化できる。
【０００８】
本発明に係る画像処理装置の前記画像記録部では、前記第１の給紙部及び前記第２の給紙部の一方にセットされた用紙を使用する設定がされた画像を先に記録し、他方にセットされた用紙を使用する設定がされた画像を後に記録する、ようにすることができる。
【０００９】
これによれば、所定の画像が記録された用紙が複数枚ある場合、これら複数枚の用紙と残りの用紙とを仕分けして排紙することができる。
【００１０】
本発明に係る画像処理装置の前記設定部では、縮小画像が縦向きに表示されている場合、前記第１の給紙部にセットされた用紙の使用が設定され、横向きに表示されている場合、前記第２の給紙部にセットされた用紙の使用が設定される、ようにすることができる。
【００１１】
これによれば、第１の給紙部及び第２の給紙部にセットされた用紙のいずれを使用するかユーザに設定させるための入力欄を設ける必要がなくなり、かつ縮小画像の向きで用紙の向きを示すので設定ミスを少なくすることが可能である。
【発明の効果】
【００１２】
本発明に係る画像処理装置によれば、表示されている縮小画像に対応する画像の記録において、第１の給紙部及び第２の給紙部にセットされた用紙のいずれを使用するかユーザに設定させ、複数の縮小画像のそれぞれに対応する画像について上記設定がなされた後、これらの画像を上記設定された用紙に記録して排紙している。したがって、ユーザが所定の画像について第１の給紙部及び第２の給紙部にセットされた用紙の一方を使用する設定をし、残りの画像について他方を使用する設定をすることにより、画像が記録されて排紙された複数枚の用紙の中から所定の画像が記録された用紙について目印をつけることなく残りの用紙と容易に区別することができる。
【００１３】
なお、設定された用紙の縦横の向きと画像の縦横の向きが一致しない場合、その画像を９０°回転させて画像記録部に記録させるので、画像が用紙からはみ出すことを防止できる。
【発明を実施するための最良の形態】
【００１４】
本発明の実施形態について図面を用いて説明する。図１は、本実施形態に係る画像処理装置１の構成を示すブロック図である。画像処理装置１は、コピー、ファクシミリ、スキャナ及びプリンタの機能を有する複合機である。画像処理装置１は画像を用紙に記録する機能を有すればよいので、画像処理装置１としては、複合機に限らず、コピー機単体やプリンタ単体でもよい。
【００１５】
画像処理装置１は、制御部１１、画像読取部１３、第１の給紙部１５、第２の給紙部１７、画像記録部１９、表示部２１、操作部２３、モデム２５、ＮＣＵ２７、ＲＯＭ２９、ＲＡＭ３１、画像メモリ３３、コーデック３５、ＬＡＮインターフェース３７、ポート３９等が相互にバス４１で接続された構成を有する。制御部１１は、例えばＣＰＵにより実現されており、画像処理装置１を構成する上記ハードウェアを制御すると共に画像処理装置１の動作に必要なソフトウェアを実行する。画像読取部１３は、ＣＣＤ等によって画像（文字、図、写真等）を読み取って画像データとして出力する。
【００１６】
第１の給紙部１５は、用紙が縦置きにセットされる給紙カセットであり、縦向き用紙５１を画像記録部１９に給紙する。第２の給紙部１７は、第１の給紙部１５にセットされる用紙と同じサイズの用紙が横置きにセットされる給紙カセットであり、横向き用紙５３を画像記録部１９に給紙する。ここでの用紙はＡ４サイズであるが、同じサイズを縦置きと横置きにセットできれば他のサイズでもよい（例えばＢ５サイズ）。第１の給紙部１５は、一つの給紙カセットにより構成してもよいし、複数の給紙カセットにより構成してもよい。第２の給紙部１７も同様である。
【００１７】
画像記録部１９は、電子写真方式等のプリンタであり、画像読取部１３から出力された画像データやファクシミリ通信により受信した別のファクシミリ装置からの画像データを画像に戻し、この画像が記録された用紙を排紙部４３に排紙する。また、パソコン５５に記憶されているファイルを印刷する場合、画像記録部１９は、パソコン５５から送られた印刷データをビットマップデータに変換し、それにより構成される画像を用紙に記録して排紙部４３に排紙する。画像記録部１９で画像が記録される用紙は、第１の給紙部１５、第２の給紙部１７、又はＡ３サイズやＢ４サイズの用紙がセットされた他の給紙部（図示せず）から給紙される。排紙部４３は具体的には排紙トレイである。
【００１８】
表示部２１は、画像処理装置１の動作状態、相手先名、各種設定内容等を表示する。表示部２１は、ＬＣＤ、ＣＲＴ等で実現される。操作部２３は、画像処理装置１の操作に必要なキー（テンキー、スタートキー、リセットキー、各種のファンクションキー等）を備える。
【００１９】
モデム２５は、通常のファクシミリ通信用のファクシミリモデムの機能を有する。また、モデム２５は、ＮＣＵ２７と直接に接続されている。ＮＣＵ２７は、公衆交換電話網（ＰＳＴＮ）に接続される電話回線と画像処理装置１との接続を制御する機能の他に、通信相手の電話番号に応じたダイヤルパルスを送出する機能及び着信を検出する機能を有する。
【００２０】
ＲＯＭ２９は、フラッシュメモリ等により実現されており、画像処理装置１の動作に必要なソフトウェアを記憶している。ＲＡＭ３１は、ＳＲＡＭ、ＤＲＡＭ等により実現されており、ソフトウェアの実行時に発生するデータを一時的に記憶したり、アプリケーションソフト等を記憶したりする。
【００２１】
画像メモリ３３は、ＤＲＡＭ等で実現されており、送信すべき画像データ、受信した画像データ、画像読取部１３から出力された画像データ等を一時的に記憶する。コーデック３５は、画像データを符号化圧縮すると共に符号化圧縮されている画像データを復号する。ＬＡＮインターフェース３７は、画像処理装置１がＬＡＮと通信可能に接続するインターフェースである。このＬＡＮは、複数のパソコン５５と接続されていると共にルータ５７を経由してインターネットと接続されている。
【００２２】
ポート３９は、画像処理装置１と外部記憶装置５９との接続部であり、具体的にはコネクタやスロット等である。画像処理装置１と外部記憶装置５９との接続は、有線でもよいし、無線でもよい。外部記憶装置５９はリムーバブルメディアであり、したがって、画像記憶装置１に対して着脱自在にされている。外部記憶装置５９の具体例として、メモリカード（例えばＵＳＢメモリ）、ＭＯ、ＣＤ、外付けのハードディスクドライブ等が挙げられる。
【００２３】
画像処理装置１を用いて画像を用紙に記録するジョブについて、外部記憶装置５９に記憶されている複数の画像ファイルのダイレクト印刷を例にして説明する。ダイレクト印刷とは、パソコン５５を使用しないで外部記憶装置５９に記憶されているファイルを画像処理装置１で印刷することである。画像ファイルは、例えばＪＰＥＧ形式の静止画の画像ファイルであり、外部記憶装置５９には複数の画像ファイル（本実施形態では五つの画像ファイルＦ１，Ｆ２，Ｆ３，Ｆ４，Ｆ５）が記憶されている。各画像ファイルの画像がそれぞれ一枚の用紙に記録される（例えば、画像ファイルＦ１の画像が一枚の用紙に記録される）。
【００２４】
図２は、画像記録ジョブの設定がされる設定部６１の平面図である。設定部６１は、ハードキーとタッチパネル６３を備える。ハードキーは、テンキー６５及びカーソルキー６７で構成されており、これらのキーは図１に示す操作部２３に含まれる。タッチパネル６３は図１に示す表示部２１を含み、図２では画像記録ジョブの設定の初期画面が表示されている。
【００２５】
ユーザがタッチパネル６３に表示された「決定」に触れると、図１に示す外部記憶装置５９に記憶されている五つの画像ファイルＦ１，Ｆ２，Ｆ３，Ｆ４，Ｆ５が画像処理装置１へ読み込まれる。読み込みが完了すると、タッチパネル６３には、図３（Ａ）に示すように画像ファイルの画像の縮小画像（この縮小画像はサムネイルと称される）６９が表示される。本実施形態では画像ファイルＦ１，Ｆ２，Ｆ３のそれぞれの画像の縮小画像６９が表示されており、タッチパネル６３に表示された「次へ」に触れると、図３（Ｂ）に示す画面に切り替わり、残りの画像ファイルＦ４，Ｆ５のそれぞれの画像の縮小画像６９が表示される。縮小画像６９（Ｆ１），６９（Ｆ２），６９（Ｆ３），６９（Ｆ４），６９（Ｆ５）は、それぞれ画像ファイルＦ１，Ｆ２，Ｆ３，Ｆ４，Ｆ５の画像の縮小画像を表している。
【００２６】
タッチパネル６３の寸法上の理由から、本実施形態では一度に表示される縮小画像６９を三つにしている。タッチパネル６３の寸法が小さければ、縮小画像６９を一つずつ表示するようにする。これに対して、タッチパネル６３の寸法が大きければ、縮小画像６９の全てを一度に表示するようにしてもよい。
【００２７】
タッチパネル６３には、設定項目として、「順番」、「縦横」及び「枚数」が表示されている。「順番」は、画像を用紙に記録する順番である。デフォルト（つまり、初期状態）では、順番の設定がされておらず、したがって「順番」の入力欄７１は空欄である。
【００２８】
「縦横」は、画像を記録する用紙として、縦向き用紙（第１の給紙部１５にセットされた用紙）を使用するか、又は横向き用紙（第２の給紙部１７にセットされた用紙）を使用するかを示している。デフォルトでは一方の向き（本実施形態では縦向き）に設定されており、したがって「縦横」の入力欄７３に「縦」の文字が表示されている。
【００２９】
「枚数」は、画像を記録する用紙の枚数である。デフォルトでは枚数が一枚に設定されており、したがって「枚数」の入力欄７５に「１」が表示されている。
【００３０】
ユーザはカーソルキー６７を操作してタッチパネル６３に表示されたカーソル７７を、入力欄７１，７３，７５の下に移動させ、数字を入力する等をして設定をする。具体例を用いて説明すると、画像ファイルＦ２の画像を４番目に記録（つまり４番目に印刷）したければ、図４に示すように、縮小画像６９（Ｆ２）の入力欄７１の下にカーソル７７を移動させて、テンキー６５の「４キー」を操作して入力欄７１に「４」を入力する。そして、タッチパネル６３に表示された「決定」に触れると、４番目に印刷することが確定される。順番の入力では、間違って同じ順番の番号を入力する可能性があるので、この場合は先にした入力を優先し、後にした入力はその受付けが拒否されるようにする。
【００３１】
また、画像ファイルＦ１の画像を図１に示す横向き用紙５３に記録したければ、縮小画像６９（Ｆ１）の入力欄７３の下にカーソル７７を移動させて、テンキー６５の「＊キー」を操作して入力欄７３の表示を「縦」から「横」に切り替える。そして、「決定」に触れると、画像ファイルＦ１の画像は横向き用紙５３に記録することが確定される。
【００３２】
確定されたことを示すために、確定された入力欄７１，７３，７５については、その中の文字や数字の色を例えば黒色から青色に変化させるようにしてもよい。上記具体例で言えば、縮小画像６９（Ｆ２）の入力欄７１に入力された「４」や、縮小画像６９（Ｆ１）の入力欄７３に入力された「横」の色が黒色から青色に変化させる。
【００３３】
確定した設定をキャンセルするときは、その入力欄の下にカーソル７７を移動させて、タッチパネル６３に表示された「キャンセル」に触れると、再設定が可能になる。図５は、画像記録ジョブの設定が完了した設定部６１を示す図である。
【００３４】
本実施形態での設定は、全ての入力欄７１，７３，７５について確定操作を必要にしている。したがって、例えば、ファイルＦ２の画像を記録した用紙の枚数が１枚のときでも、縮小画像６９（Ｆ２）の入力欄７５の下にカーソル７７を移動させ、「決定」に触れる操作が必要となる。しかしながら、設定操作の簡略化のために確定操作を不要にしてもよい。これによれば、デフォルトでは用紙が縦向き用紙５１でその枚数が１枚に設定されているので、「縦横」については横向き用紙５３に画像を記録するときだけ設定操作をすればよく、「枚数」については二枚以上のときだけ設定操作をすればよい。
【００３５】
次に、画像記録ジョブの実行について、図１、図５及び図６を用いて説明する。図６は、本実施形態に係る画像処理装置１での画像記録ジョブの実行を説明するフローチャートである。図５に示すように画像記録ジョブの設定が完了した後、ユーザが図１に示す操作部２３のスタートキーを押すと（ステップＳ１）、画像記録ジョブの実行が開始される。
【００３６】
ｎ＝１が記憶される（ステップＳ３）。ｎは、画像ファイルＦ１，Ｆ２，Ｆ３，Ｆ４，Ｆ５の画像を記録する順番である。図５に示す設定部６１の設定では、画像ファイルＦ５、画像ファイルＦ１、画像ファイルＦ４、画像ファイルＦ２、画像ファイルＦ３の順番で画像が用紙に記録される。
【００３７】
まず、１番目の画像ファイル（ここでは画像ファイルＦ５）について画像の記録を開始する（ステップＳ５）。画像ファイルＦ５の画像データがビットマップデータに変換されて、それにより構成される画像の縦横の向きが、設定部６１で設定された用紙の縦横の向きと一致するか判断される（ステップＳ７）。一致しなければ、その画像を９０°回転処理させてから、用紙に記録するのである。これにより、画像が用紙からはみ出すことを防止している。
【００３８】
画像ファイルＦ５の画像を記録する用紙として、縦向き用紙５１が設定されているので、図１に示すように、第１の給紙部１５から縦向き用紙５１が画像記録部１９に給紙される。画像ファイルＦ１，Ｆ２，Ｆ３，Ｆ４，Ｆ５の画像データが、縦向きのＡ４サイズで画像を記録する内容のデータとすれば、ステップＳ７はＹｅｓとなり、画像を９０°回転処理することなく、第１の給紙部１５から給紙された縦向き用紙５１に記録して、排紙部４３に排紙する（ステップＳ９）。
【００３９】
画像を記録した用紙が、設定部６１で設定された枚数に到達したか判断される（ステップＳ１１）。画像ファイルＦ５については、用紙が二枚に設定されているので、ステップＳ１１はＮｏとなり、ステップＳ９に戻る。ステップＳ９で二枚目の用紙が縦向きに排紙される。これにより、排紙部４３では、図７（Ａ）に示すように、二枚の縦向き用紙５１（Ｆ５）が積み重ねられた状態になっている。
【００４０】
設定部６１で設定された枚数に画像を記録した用紙が到達すると、ステップＳ１１はＹｅｓとなり、ｎ←ｎ＋１の処理が実行される（ステップＳ１３）。ｎ＝１なのでｎ＝２となる。
【００４１】
次に、ｎ＞ｋか否かの判断がされる（ステップＳ１５）。ｋは画像（画像ファイル）の数である。この例ではｋ＝５である。したがって、ステップＳ１５ではＮｏと判定され、ステップＳ５に戻り、２番目の画像ファイル（画像ファイルＦ１）について画像の記録を開始する。
【００４２】
画像ファイルＦ１の画像データがビットマップデータに変換されて、それにより構成される画像の縦横の向きが、設定部６１で設定された用紙の縦横の向きと一致するか判断される（ステップＳ７）。画像ファイルＦ１の画像を記録する用紙として、横向き用紙５３が設定されている。したがって、第２の給紙部１７から横向き用紙５３が画像記録部１９に給紙される。上記の通り、画像ファイルＦ１の画像データが、縦向きのＡ４サイズで画像を記録する内容のデータなので、ステップＳ７はＮｏとなり、画像を９０°回転させる処理をする（ステップＳ１７）。
【００４３】
ステップＳ１７の回転処理は、制御部１１、ＲＯＭ２９、ＲＡＭ３１及び画像メモリ３３で構成される回転処理部で行われる。
【００４４】
画像を９０°回転させる処理を、回転させない処理と比較して説明する。図１０は、画像を回転させない処理（Ａ）と、画像を９０°回転させる処理（Ｂ）を説明する図である。画像メモリ３３中の「１」は黒色データのアドレスであり、「０」は白色データのアドレスとする。（Ａ）に示すように、縦向き用紙Ｐ１に画像を記録するとき、画像メモリ３３からデータを、横方向に上から順番｛（１）（２）（３）（４）｝に読み出す。そして、読み出したデータと共にこの読み出しと同じ方向・順番で印刷ヘッドを動作させて画像を記録する命令を画像記録部１９へ送る。これにより、回転処理されていない画像が縦向き用紙Ｐ１に記録される。図中のクロスハッチングは黒色を示している。
【００４５】
（Ｂ）に示すように、横向き用紙Ｐ２に画像を記録するとき、画像メモリ３３からデータを、縦方向に左から順番｛（１）（２）（３）｝に読み出す。そして、読み出したデータと共に横方向に下から順番｛（１）（２）（３）｝に印刷ヘッドを動作させて画像を記録する命令を画像記録部１９へ送る。これにより、９０°回転処理された画像が横向き用紙Ｐ２に記録される。
【００４６】
画像を回転させない処理と９０°回転させる処理は、例えば、関数「PRN_OnePage()」の中でフラグ「IsRotatePrint」を立てないか又は立てるかにより実行することができる。すなわち、フラグ「IsRotatePrint」が、「False」のときは画像を回転させない処理が実行され、「True」のときは画像を９０°回転させる処理が実行される。
【００４７】
回転処理した画像を、第２の給紙部１７から給紙された横向き用紙５３に記録して、排紙部４３に排紙する（ステップＳ９）。画像ファイルＦ１の画像を記録した用紙の枚数は一枚に設定されているので、ステップＳ１１でＹｅｓとなる。排紙部４３には、図７（Ｂ）に示すように、二枚の縦向き用紙５１（Ｆ５）の上に、一枚の横向き用紙５３（Ｆ１）が排紙されている。
【００４８】
同様に、３番目の画像ファイル（画像ファイルＦ４）、４番目の画像ファイル（画像ファイルＦ２）、５番目の画像ファイル（画像ファイルＦ３）について、画像を記録する。３番目の画像ファイルでは、図７（Ｃ）に示すように、一枚の横向き用紙５３（Ｆ１）の上に、二枚の横向き用紙５３（Ｆ４）が排紙されている。４番目の画像ファイルでは、図７（Ｄ）に示すように、二枚の横向き用紙５３（Ｆ４）の上に、一枚の縦向き用紙５１（Ｆ２）が排紙されている。５番目の画像ファイルでは、図７（Ｅ）に示すように、一枚の縦向き用紙５１（Ｆ２）の上に、三枚の縦向き用紙５１（Ｆ３）が排紙されている。
【００４９】
５番目の画像ファイルの画像が記録された用紙が排紙されると、ステップＳ１３でｎ＝６となり、ステップＳ１５でＹｅｓとなり、画像記録ジョブの実行が終了する。
【００５０】
図１に示す外部記憶装置５９に記憶されている複数の画像ファイルをダイレクト印刷するとき、画像が記録されて排紙された複数枚の用紙には、例えば、後で特に確認したい用紙（所定の画像が記録された用紙）とそうでない用紙が混在することがある。また、例えば、複数枚の用紙の一部（所定の画像が記録された用紙）をＡ氏に配り、残りをＢ氏に配ることがある。これらの場合、排紙された複数枚の用紙の中から、所定の画像が記録された用紙と残りの用紙を容易に区別できれば便利である。
【００５１】
本実施形態によれば、タッチパネル６３に表示されている縮小画像６９（Ｆ１），６９（Ｆ２），６９（Ｆ３），６９（Ｆ４），６９（Ｆ５）に対応する画像の記録において、ユーザは画像ファイルＦ１，Ｆ４の画像（所定の画像）について横向き用紙５３を使用する設定をし、画像ファイルＦ２，Ｆ３，Ｆ５の画像（残りの画像）について縦向き用紙５１を使用する設定をしている。これにより、画像が記録されて排紙部４３に排紙された複数枚の用紙の中から、画像ファイルＦ１，Ｆ４の画像（所定の画像）が記録された用紙について目印をつけることなく画像ファイルＦ２，Ｆ３，Ｆ５の画像（残りの画像）が記録された用紙と容易に区別することができる。
【００５２】
本実施形態では、「縦横」の入力欄７３に用紙の向きを入力することで用紙の向きを設定しているが、その代わりに、タッチパネル６３に表示されている縮小画像６９で用紙の向きを設定する態様でもよい。この態様では、縮小画像６９の向きを、カーソルキー６７やテンキー６５の「＊キー」を操作して縦向きと横向きの切り替えを可能にすることで、縮小画像６９を縦向きにした場合は縦向き用紙（第１の給紙部１５にセットされた用紙）５１の使用が設定され、横向きにした場合は横向き用紙（第２の給紙部１７にセットされた用紙）５３の使用が設定される。
【００５３】
例えば、図５に示す設定部６１での設定内容と同じ場合で説明すると、図８に示すように、設定部６１のタッチパネル６３で、縮小画像６９（Ｆ１）及び縮小画像６９（Ｆ４）を横向きに表示させることで、画像ファイルＦ１及び画像ファイルＦ４の画像を横向き用紙５３に記録する設定をしている。縮小画像６９の向きで用紙の向きの設定ができるので、「縦横」の入力欄７３を設ける必要がなくなり、かつ縮小画像６９の向きで用紙の向きを示すので設定ミスを少なくすることが可能である。
【００５４】
本実施形態では、画像を記録する順番を設定するようにしている。しかしながら、第１の給紙部１５及び第２の給紙部１７の一方にセットされた用紙を使用する設定がされた画像を先に記録し、他方にセットされた用紙を使用する設定がされた画像を後に記録する態様にすることもできる。図９はこの態様で排紙された用紙を示している。縦向き用紙５１で記録する画像を先に排紙し、横向き用紙５３で記録する画像を後に排紙している。この態様では、所定の画像が記録された用紙が複数枚ある場合、これら複数枚の用紙と残りの用紙とを仕分けして排紙することができる。
【００５５】
本実施形態では、外部記憶装置５９に記憶されている複数の画像ファイルをダイレクト印刷する例で説明した。しかし、コピーやパソコン５５に記憶されたファイルの印刷についても適用することができる。
【００５６】
コピーの場合、図１に示す画像読取部１３で複数枚の原稿をスキャンして、これらの縮小画像を設定部６１のタッチパネル６３に表示する。後は、ダイレクト印刷と同様に順番等を設定した後、画像を用紙に記録して排紙する。
【００５７】
パソコン５５に記憶されたファイルの印刷では、一つのファイルの印刷命令がパソコン５５から画像処理装置１へ送られると、画像処理装置１は印刷ジョブを実行する前に、そのファイルの各頁の縮小画像を設定部６１のタッチパネル６３に表示する。後は、ダイレクト印刷と同様に順番等を設定した後、画像を用紙に記録して排紙する。なお、パソコン５５と画像処理装置１とが離れていると、第三者が誤ってタッチパネル６３を操作してしまう可能性があるので、パスワード入力等で設定部６１での設定が可能になるようにしてもよい。
【図面の簡単な説明】
【００５８】
【図１】本実施形態に係る画像処理装置の構成の一例を示すブロック図である。
【図２】本実施形態に係る画像処理装置において、画像記録ジョブの設定操作がされる設定部の一例の平面図である（初期画面）。
【図３】本実施形態に係る画像処理装置において、タッチパネルに縮小画像が表示された状態の設定部の平面図である。
【図４】図３に示す状態の設定部において、設定の仕方を説明する図である。
【図５】画像記録ジョブの一例の設定が完了した状態の設定部の平面図である。
【図６】画像記録ジョブの一例の実行を説明するフローチャートである。
【図７】画像記録ジョブの一例を実行することにより、排紙された用紙の状態を説明する図である。
【図８】本実施形態に係る画像処理装置の別の態様において、画像記録ジョブの一例の設定が完了した状態の設定部の平面図である。
【図９】本実施形態に係る画像処理装置のさらに別の態様で、画像記録ジョブの一例を実行することにより、排紙された用紙の状態を説明する図である。
【図１０】画像を回転させない処理と画像を９０°回転させる処理を説明する図である。
【符号の説明】
【００５９】
１・・・画像処理装置、１１・・・制御部、１３・・・画像読取部、１５・・・第１の給紙部、１７・・・第２の給紙部、１９・・・画像記録部、２１・・・表示部、２３・・・操作部、２５・・・モデム、２７・・・ＮＣＵ、２９・・・ＲＯＭ、３１・・・ＲＡＭ、３３・・・画像メモリ、３５・・・コーデック、３７・・・ＬＡＮインターフェース、３９・・・ポート、４１・・・バス、４３・・・排紙部、５１・・・縦向き用紙、５３・・・横向き用紙、５５・・・パソコン、５７・・・ルータ、５９・・・外部記憶装置、６１・・・設定部、６３・・・タッチパネル、６５・・・テンキー、６７・・・カーソルキー、６９・・・縮小画像、７１，７３，７５・・・入力欄、７７・・・カーソル
【図１】
2008288656.tif 000003
【図２】
2008288656.tif 000004
【図３】
2008288656.tif 000005
【図４】
2008288656.tif 000006
【図５】
2008288656.tif 000007
【図６】
2008288656.tif 000008
【図７】
2008288656.tif 000009
【図８】
2008288656.tif 000010
【図９】
2008288656.tif 000011
【図１０】
2008288656.tif 000012